(57)【特許請求の範囲】
【請求項１】
着用時に着用者の身体側に配置されるライナー及び外カバーを有し、かつ該外カバーの外面上に画定された取り付け領域を有する吸収性物品と、前記吸収性物品の前記取り付け領域上に取り付け可能な信号表示装置とを備えた検知用吸収性物品システムであって、
前記吸収性物品は、
前記信号表示装置に電気的に接続可能な検知用手段と、
前記取り付け領域に表示され、その輪郭、模様及び色彩からなる群から選択される取り付け領域用図案と、
前記取り付け領域に隣接する位置に表示され、その輪郭、模様及び色彩からなる群から選択される物品用図案とを含み、
前記信号表示装置は、前記取り付け領域に対応する該信号表示装置の取り付け面の輪郭、模様及び色彩からなる群から選択される信号表示装置用図案を含み、
前記取り付け領域用図案と前記物品用図案とは、視覚的に区別可能であり、
前記取り付け領域用図案は、目標図形を含み、
前記信号表示装置用図案は、前記目標図形と整合可能な図形を含み、
前記目標図形を前記整合可能な図形に整合させることによって、使用者が前記信号表示装置を前記吸収性物品の正確な位置に取り付けることができるように、前記信号表示装置は、前記整合可能な図形の周囲に透明部分または半透明部分を有することを特徴とする検知用吸収性物品システム。
【請求項２】
着用時に着用者の身体側に配置されるライナー及び外カバーを有し、かつ該外カバーの外面上に画定された取り付け領域を有する吸収性物品と、前記吸収性物品の前記取り付け領域上に取り付け可能な信号表示装置とを備えた検知用吸収性物品システムであって、
前記吸収性物品は、
前記信号表示装置に電気的に接続可能な検知用手段と、
前記取り付け領域に表示され、その輪郭、模様及び色彩からなる群から選択される取り付け領域用図案と、
前記取り付け領域に隣接する位置に表示され、その輪郭、模様及び色彩からなる群から選択される物品用図案とを含み、
前記信号表示装置は、前記取り付け領域に対応する該信号表示装置の取り付け面の輪郭、模様及び色彩からなる群から選択される信号表示装置用図案を含み、
前記取り付け領域用図案と前記物品用図案とは、視覚的に区別可能であり、
前記信号表示装置用図案と前記物品用図案とを組み合わせて所定の図案を構成させることによって、前記信号表示装置を前記吸収性物品の正確な位置に取り付けることができるように、前記取り付け領域用図案及び前記物品用図案は色彩を有し、かつ前記取り付け領域用図案の色彩は前記物品用図案の色彩より褪色している、または、前記取り付け領域用図案が無地であることを特徴とする検知用吸収性物品システム。
【請求項３】
前記取り付け領域用図案は、文章を含むことを特徴とする請求項１或いは２に記載のシステム。
【請求項４】
前記信号表示用図案、前記取り付け領域用図案及び前記物品用図案は色彩を有し、かつ前記取り付け領域用図案の色彩は前記物品用図案の色彩より褪色しており、
前記信号表示用図案は、色彩を除いて前記取り付け領域用図案と同一の図案であり、
前記信号表示装置用図案の色彩は、前記取り付け領域用図案の色彩に比較して褪色していないことを特徴とする請求項２に記載のシステム。
【請求項５】
前記信号表示装置用図案は、前記信号表示装置の前記輪郭を有し、前記取付領域用図案は、前記取付領域の前記輪郭を有し、前記取り付け領域用図案の前記輪郭は、前記信号表示装置用図案の前記輪郭の少なくとも一部に整合することを特徴とする請求項１或いは２に記載のシステム。
【請求項６】
前記取り付け領域用図案は、前記信号表示装置用図案と同一の図案を含むことを特徴とする請求項１或いは２に記載のシステム。
【請求項７】
前記物品用図案は、物品線を含み、
前記信号表示装置用図案は、前記物品線と組み合わさって前記所定の図案を構成させるような線を含むことを特徴とする請求項２に記載のシステム。
【請求項８】
前記吸収性物品は、
前記信号表示装置を前記検知手段に電気的に接続するための導電器を更に含み、
前記取り付け領域用図案の前記目標図形は、導電器図形を含み、
前記信号表示装置用図案の前記整合可能な図形は、前記導電器図形に類似する図形を含み、
前記導電器図形と前記類似する図形とを整合させることによって前記信号表示装置を前記吸収性物品の正確な位置に取り付けることができることを特徴とする請求項１に記載のシステム。
【請求項９】
前記物品用図案は、図形を含むことを特徴とする請求項１或いは２に記載のシステム。
【請求項１０】
前記図形は、漫画であることを特徴とする請求項９に記載のシステム。
【請求項１１】
前記図形は、幾何学的図形であることを特徴とする請求項９に記載のシステム。
【請求項１２】
梱包材を更に含み、
前記吸収性物品は複数存在し、
前記梱包材は、複数の前記吸収性物品を梱包することを特徴とする請求項１或いは２に記載のシステム。
【請求項１３】
前記梱包材は、前記信号表示装置を更に梱包することを特徴とする請求項１２に記載のシステム。
【発明の詳細な説明】
【技術分野】
【０００１】
オムツ、訓練用パンツ、失禁用製品、女性用衛生製品、水着用下着、及び同様のものなどの吸収性物品は、通常は、液体透過性身体側ライナー、液体不透過性外カバー、及び吸収性芯を含む。吸収性芯は、典型的には、使用者から排出された液体（例えば尿）を取り入れて保持するために、外カバーとライナーとの間に位置する。
【０００２】
多くの吸収性物品は、トイレ訓練用又は尿もらし症コントロールなどの訓練プログラムにおいて、又は様々な医療状態、身体状態又は他の状態を指示するために使用されてきた。したがって、湿分又は湿潤性指示器を含む様々な型の検知器及び指示器が、吸収性物品に使用するために提案されてきた。例えば、湿潤性指示器は、放出された時に、親又は介護人が、湿潤したオムツ状態を認識することを助けるように設計された警報装置を含むことができる。該装置は、可視信号又は可聴信号のいずれかを発する。
【０００３】
本発明の幾つかの態様においては、例えば、安価な導電性糸又は箔が、吸収性物品内に配置されてきた。導電性材料は、信号表示装置のための導電性リードとして機能し、尿などの身体流体が回路を閉じる時に、閉じることができる開放回路を物品内に形成する。本発明の他の態様においては、様々な他の検知器は、吸収性物品内に含まれており、該検知器は、信号表示装置を介して、使用者又は介護人に、テスト結果、指示、又は他のデータを伝達することができる。本発明のこれらの態様においては、吸収性物品は使い棄てとすることができるが、信号表示装置は使い棄てではない。このように、信号表示装置は、物品から取り外し、次の物品に再取り付けするように意図されている。
【０００４】
しかしながら、この概念を実行する場合の訓練のためにこれらの物品を使用すること及び／又は通知目的は、その利便性及び効率性を非常に制限し、このことは消費者に損失をもたらすこととなるという問題に遭遇している。消耗性発熱対症医療、研究室における設定、又は家庭における設定において、物品間の信号表示装置の移送を含む、このような物品及び信号表示装置の使用は、吸収性物品に信号表示装置を正確に整列させることが重要である場合、特に困難なものとなる。
【０００５】
【特許文献１】米国特許第４，７９８，６０３号公報
【特許文献２】米国特許第５，１７６，６７２号公報
【特許文献３】米国特許第５，５０９，９１５号公報
【特許文献４】米国特許第５，９９３，４３３号公報
【特許文献５】米国特許第６，２４８，０９７号公報
【特許文献６】ＰＣＴ特許出願ＷＯ００／３７００９
【特許文献７】米国特許第４，９４０，４６４号公報
【特許文献８】米国特許第５，７６６，３８９号公報
【特許文献９】米国特許第６，６４５，１９０号公報
【特許文献１０】米国特許第４，７０４，１１６号公報
【特許文献１１】米国特許第５，４８６，１６６号公報
【特許文献１２】米国特許第５，４９０，８４６号公報
【特許文献１３】米国特許第５，８２０，９７３号公報
【特許文献１４】米国特許第６，６５８，４３２号公報
【特許文献１５】米国特許第６，４１７，４５５号公報
【特許文献１６】米国特許出願一連番号１１／４１４，０３２
【特許文献１７】米国特許出願一連番号１１／３１４，４３８
【特許文献１８】米国特許出願一連番号１１／３０３，２８３
【特許文献１９】米国特許出願一連番号１１／２１５，９３７
【特許文献２０】米国特許出願一連番号１１／４１２，３５１
【特許文献２１】米国特許出願一連番号１１／４１２，３６４
【特許文献２２】米国特許出願一連番号１１／４１４，０３１
【特許文献２３】米国特許出願一連番号１１／１９２，２１０
【発明の開示】
【発明が解決しようとする課題】
【０００６】
介護人が、人口統計に適用される、トイレ訓練、尿もらし症コントロール、失禁モニター、又は状態の観察に対処するために、訓練、指示、及び／又は通告プログラムを行う場合、製品の利便性、利益、及び楽しみ、及びこのようなプログラムの効率性を促進するように特に設計された製品に接する度合いが大きいほど、利便を受けることができる。
【０００７】
ここに示された本発明は、上記した問題点を解決し、検知用部品を組み合わせて利便性を増加させることにより、吸収性物品内の湿潤性感知器及び他の感知器の使用において利便性及び効率性を増加させる。一般的には、本開示は、使用しやすい信号表示装置を備えた検知用吸収性物品に向けられる。例えば、信号表示装置は、身体流体が検知用吸収性物品内に存在することを、使用者に示すように形成することができる。
【０００８】
例えば、本発明の一態様においては、本発明は、ライナー及び外カバーを有する吸収性物品を含む検知用吸収性物品システムを含み、該吸収性物品は、検知用手段、物品設計企画（物品用図案）、及び取り付け領域設計企画（取付領域用図案）を有する取り付け領域を含み、該取り付け領域設計企画は、物品設計企画とは視覚的に異なる。また、信号表示装置設計企画（信号表示装置用図案）が設けられた信号表示装置を含んでも良い。これらの設計企画（図案）は、輪郭、模様及び色彩からなる群から選択される。
【０００９】
本発明の別の態様においては、本発明は、ライナー及び外カバーを有する吸収性物品を含む検知用吸収性物品を含み、該吸収性物品は、検知用手段、物品設計企画、及び信号表示装置に正確な位置を指示するようにされた取り付け領域を含む。
【００１０】
本発明の別の態様においては、本発明は、ライナー及び外カバーを有する吸収性物品を含む検知用吸収性物品システムを含み、該吸収性物品は視覚的特性の一部を含み、吸収性物品と接続するようにされた信号表示装置は、視覚的特性の別の部分を有し、吸収性物品と正確に整列させた時、完全な視覚的特性を形成する。
【００１１】
本発明の別の態様においては、本発明は、検知用部品、ライナー及び外カバーを含む吸収性物品を含み、該外カバーは視覚的特性を含み、該視覚的特性の一部が欠乏したものとされている。
本発明の別の態様においては、本発明は、梱包材をさらに含み、梱包材によって、複数の吸収性物品や、信号表示装置を梱包する。
【００１２】
本発明の前述した及び他の特性及び態様、及びそれらを得る方法、並びに本発明自体は、以下の説明、添付した特許請求の範囲及び添付図面を参照することにより、一層明らかとなり、より理解されるであろう。
【００１３】
本明細書及び図面の繰り返し使用されている参照番号は、本発明における同一の又は類似した特性又は要素を表わすものである。図面は代表的なものであり、縮尺で示されているとは限らない。これらのある部分は誇張され、他の部分は縮小される場合がある。
【発明を実施するための最良の形態】
【００１４】
この開示は、例示的実施形態のみの説明であり、本発明の広い態様を制限するものではないことを、当業者は理解すべきである。
【００１５】
本開示は、一般的には、吸収性物品内の身体流体の存在、又は製品又は着用者の状態における他の変化を示すことができるように形成された信号表示装置に取り付けられるようにされる吸収性物品に向けられる。吸収性物品は、例えば、オムツ、訓練用パンツ、予め締結されたパンツ、水着用パンツ、失禁用製品、女性用衛生製品、医療用衣類、包帯、又はあらゆる他の適当な物品とすることができる。
【００１６】
ここに示された本発明は、あらゆる型の検知用物品とともに使用することができる。ここで限定されない例として使用される１つの型の検知用物品においては、湿潤検知用吸収性物品は、身体流体などの導電性流体が１対の導電性リードの間に存在する場合に閉じられる、開放回路を含むことができる。代替的には、湿潤検知用吸収性物品は、身体流体などの流体が存在する場合に開かれる、閉回路を含むことができる。一般的には、回路を収容する湿潤検知用吸収性物品は、再使用のために洗濯又は貯蔵されるのではなく、制限された使用の後廃棄されるという意味の使い棄てである。
【００１７】
本開示の湿潤検知用吸収性物品内に収容される回路は、信号表示装置に取り付けられるように形成される。信号表示装置は、回路に電力を供給することができ、更に、使用者に身体流体の存在を示す、幾つかの型の可聴信号、可視信号及び／又は電磁信号を含むことができる。湿潤検知用吸収性物品自体は使い棄てであるが、信号表示装置は、物品から物品へと再使用することができる。これに関して、本開示は特に、湿潤検知用吸収性物品内の回路と信号表示装置との間を容易に接続することが可能な、異なる型の取り付け機構に向けられる。
【００１８】
上記したように、信号表示装置と組み合わせた回路は、湿潤検知用吸収性物品内に収容される身体流体の存在を示すように形成することができる。特に目標とされる身体流体は、特定の型の湿潤検知用吸収性物品及び望まれる用途に応じて異なるものとすることができる。例えば、本発明の一態様においては、湿潤検知用吸収性物品は、オムツ、訓練用パンツ、又は同様のものを含み、信号表示装置は、尿の存在を示すように形成される。代替的には、信号表示装置は、オムツかぶれの存在を示す代謝産物の存在を示すように形成することができる。一方、大人用失禁用製品及び女性用衛生製品の場合には、信号表示装置は、尿又は月経内における、多糖類などの酵母菌又は特定の成分の存在を示すように形成することができる。
【００１９】
図１を参照すると、限定されない例示的目的で湿潤検知用吸収性物品２０が示されている。湿潤検知用吸収性物品２０は、使い棄てとすることができ、又は使い棄てではないものとすることもできる。本発明は、本発明の範囲から外れることなく、これらに限定するものではないが、オムツ、訓練用パンツ、水泳用パンツ、女性用衛生製品、失禁用製品、医療用衣類、外科用パッド及び包帯、他の個人ケアー用又は健康ケアー用衣類、及び同様のものを含む、個人で着用することを意図する様々な他の湿潤検知用吸収性物品で使用するのに適していることが理解される。
【００２０】
説明のためだけに挙げると、本発明の様々な態様の湿潤検知用吸収性物品２０などの、湿潤検知用吸収性物品を形成するための様々な材料及び方法が、１９８９年１月１７日付けのＭｅｙｅｒ他の米国特許第４，７９８，６０３号、１９９３年１月５日付けのＢｒｕｅｍｍｅｒ他の米国特許第５，１７６，６７２号、１９９６年４月２３日付けのＨａｎｓｏｎ他の米国特許第５，５０９，９１５号、１９９９年１１月３０日付けのＳｔ．Ｌｏｕｉｓ他の米国特許第５，９９３，４３３号、２００１年６月１９日付けのＢｅｉｔｚ他の米国特許第６，２４８，０９７号、２０００年６月２９日付けのＡ．Ｆｌｅｔｃｈｅｒ他のＰＣＴ特許出願ＷＯ００／３７００９、１９９０年７月１０日付けのＶａｎ  Ｇｏｍｐｅｌ他の米国特許第４，９４０，４６４号、１９９８年６月１６日付けのＢｒａｎｄｏｎ他の米国特許題５，７６６，３８９号、２００３年１１月１１日付けのＯｌｓｏｎ他の米国特許題６，６４５，１９０号に記載されており、一貫性のある範囲で（すなわち矛盾することのない範囲で）引用によりここに組み入れられる。
【００２１】
湿潤検知用吸収性物品２０が、部分的に締結された状態で、図１に代表的に示されている。
【００２２】
湿潤検知用吸収性物品２０は、ここでは前領域２２及び後領域２４と示されている１対の縦方向端部領域、及び前領域２２と後領域２４との間を縦方向に延び、かつ相互結合されていて、ここでは股部領域２６と示されている中央領域を定める。湿潤検知用吸収性物品２０は、使用中に、着用者に向いて配置されるようにする内側表面２８と、該内側表面の反対側の外側表面３０を定める（例えば、物品２０とは別の部品に対して位置決めされる）。前領域２２及び後領域２４は、着用された時、着用者の腰部又は低胴部を全体的に又は部分的に覆うか或いは囲む湿潤検知用吸収性物品２０の部分である。股部領域２６は、一般的には、着用された時、着用者の脚部の間に位置する湿潤検知用吸収性物品２０の部分であり、着用者の低胴部及び股部を覆う。湿潤検知用吸収性物品２０は、１対の横方向両側の側部縁３６と１対の縦方向両側の腰部縁とを有し、それぞれが前腰部縁３８及び後腰部縁３９で示される。
【００２３】
示された湿潤検知用吸収性物品２０は、本発明のこの態様においては、前領域２２、後領域２４及び股部領域２６を囲むシャーシ３２を含む。シャーシ３２は、外カバー４０、及び接着剤、超音波接着、熱接着、又は他の従来の技術によって、重なる関係で外カバー４０に接合することができる身体側ライナー４２を含む。ライナー４２は全体的に、湿潤検知用吸収性物品の着用中に、物品２０の他の部品に対して、着用者の皮膚に向くように配置されるようにさせる、すなわち位置決めすることができる。シャーシ３２は、着用者により排出された液体身体排出物を吸収するために、外カバー４０と身体側ライナー４２との間に配置された吸収性構造体（図示されず）を更に含み、かつ身体排出物の横方向流出を妨げるために、身体側ライナー４２に取り付けられた１対の収容フラップ４６を含むことができる。収容フラップ４６に対する適当な形態及び配列は、全体的に当業者によく知られており、１９８７年１１月３日付けのＥｎｌｏｅの米国特許第４，７０４，１１６号に記載されており、引用によりここに組み入れられる。
【００２４】
更に身体排出物の収容及び／又は吸収を促進するために、湿潤検知用吸収性物品２０は、適当なものとしては、当業者に知られているように、脚部弾性部材（図示されず）を含むことができる。
【００２５】
本発明の幾つかの態様においては、湿潤検知用吸収性物品２０は、サージ処理層（図示されず）を含むことができ、任意ではあるが、吸収性構造体４４の近傍に位置し、接着剤を使用するなどの当業者に知られている方法によって、吸収性構造体４４又は身体側ライナー４２などの物品２０の様々な部品に取り付けることができる。サージ処理層は、液体のサージ又は放出を減速及び放散させて、物品の吸収性構造内に急速に導くことができる。サージ処理層は、液体を急速に受け入れて、該液体を吸収性構造体の貯蔵部分又は保持部分に放出する前に、一時的に保持することができることが望ましい。適当なサージ処理層の例は、米国特許第５，４８６，１６６号、及び第５，４９０，８４６号に記載されている。他の適当なサージ処理材料は、米国特許第５，８２０，９７３号に記載されている。これらの特許の開示全体は、一貫性のある範囲で（矛盾することのない範囲で）引用によりここに組み入れられる。
【００２６】
図１に示されているように、湿潤検知用吸収性物品２０は、１対の両側の弾性側部パネル３４を含み、シャーシ３２の後領域に取り付けられる。特に図１に示されているように、側部パネル３４は、衣類を所定の位置に固定するために、着用者の腰部及び／又は臀部周囲に延伸することができる。弾性側部パネルは、１対の両側の縦方向縁部３７に沿って、シャーシに取り付けられる。側部パネル３４は、あらゆる適当な接着技術を使用して、シャーシ３２に取り付け又は接着することができる。例えば、側部パネル３４は、接着剤、超音波接着、熱接着、又は他の従来の技術によって、シャーシに接合することができる。最終的には、側部パネル３４は、シャーシの腰部領域９０にほぼ整列させられる。
【００２７】
本発明の代替的態様においては、弾性側部パネルは、シャーシ３２と一体に形成することができる。例えば、側部パネル３４は、身体側ライナー４２の延長部、外カバー４０の延長部、又は身体側ライナー４２と外カバー４０両方の延長部を含むことができる。
【００２８】
側部パネル３４は、湿潤検知用吸収性物品２０の後領域に結合され、使用者の所定の位置に物品が固定された状態では、物品の前領域を越えて延びる。しかしながら、側部パネル３４は、代替的には、物品２０の前領域に結合されて、物品が着用された時、後領域を越えて延びることを理解するべきである。
【００２９】
図１に部分的に示されているような締結状態の湿潤検知用吸収性物品２０では、弾性側部パネル３４は、締結システム８２によって結合することができ、腰部開口５０及び１対の脚部開口５２を有する３次元湿潤検知用吸収性物品形態を定める。物品２０の腰部開口５０は、着用者の腰部を囲む腰部縁３８及び３９により定められる。
【００３０】
図面に示された本発明の態様においては、側部パネルは、締結システム８２により、物品２０の前領域２２に取り外し可能に取り付けられる。しかしながら、本発明の他の態様においては、側部パネルは、各々の端部でシャーシ３２に永久的に接合することができることを理解するべきである。側部パネルは、例えば、訓練用パンツ又は吸収性水着を形成する場合には、互いに永久的に接着することができる。
【００３１】
締結システム８２は、第二締結部品に対応する再締結可能な係合に適した、横方向両側の第一締結部品を含むことができる。締結システム８２は、接着剤締結具、粘着材締結具、機械締結具、又は同様のものなどの、湿潤検知用吸収性物品に対して適当なあらゆる再締結可能な締結具を含むことができる。特定の態様においては、締結部品は、性能を改善するための機械的締結要素を含む。適当な機械的締結要素は、フック、ループ、バルブ、マッシュルーム型、矢じり型、ステム上のボール、雄・雌結合部品、バックル、スナップ、又は同様のものなどの、相互係合する幾何学的形状の材料により形成することができる。適当な締結システムは、前に組み込まれた２０００年６月２９日付けのＰＣＴ特許出願ＷＯ００／３７００９及び前に組み込まれた２００３年１１月１１日付けのＯｌｓｏｎ他の米国特許第６，６４５，１９０号に記載されている。
【００３２】
弾性側部パネルを有する可能性に加えて、湿潤検知用吸収性物品２０は、腰部開口周囲に弾性を付与するための様々な腰部弾性部材を含むことができる。例えば、図面に示しているように、湿潤検知用吸収性物品２０は、前腰部弾性部材５４及び／又は後腰部弾性部材（図示されず）を含むことができる。
【００３３】
上記したように、本開示は、湿潤指示システムなどの身体流体指示システムを吸収性物品２０内に組み込むことに特に向けられる。１つのこのようなシステムが以下に示されている。他のシステムは、Ｕｎｄｅｒｈｉｌｌ他の米国特許第６，６５８，４３２号に記載されているような湿潤性ライナー、温度システム、図形が褪色又は発色するシステム、及びあらゆる他の身体流体指示システムを含む。
【００３４】
１つのこのような身体流体指示システムは、ここに示された湿潤指示システムである。これに関して、図１に示されるように、湿潤検知用吸収性物品２０は、第二導電性要素１０２から間隔を持った位置に第一導電性要素１００を含む。本発明のこの態様においては、導電性要素は、交差せずに湿潤検知用吸収性物品の前領域２２から後ろ領域２４まで延びる。導電性要素１００及び１０２は、例えば、Ｅｌｅｃｔｒｏｓｃｉｅｎｃｅ  Ｌａｂｏｒａｔｏｒｉｅｓ，Ｉｎｃ．からの１１２−Ｓ銀製金属導電性ペースト（インク）及び２００２年７月９日付けのＺｅｉｎ他の米国特許第６，４１７，４５５号に記載された導電性箔を含む、導電性糸及び導電性箔などの、あらゆる適当な導電性材料を含むことができる。第一導電性要素１００は、例えば、導電性流体が導電性要素の間に位置する場合に、閉じることができる開放回路を形成するために、第二導電性要素１０２と交差することはできない。しかしながら本発明の他の態様においては、第一導電性要素１００及び第二導電性要素１０２は、シャーシ内のセンサーと接続することができる。センサーは、温度変化を感じることができるか、又は代謝産物などの特定の物質の存在を感じるように使用することができる。
【００３５】
図１に示された本発明の態様においては、導電性要素１００及び１０２は、湿潤検知用吸収性物品２０の長さ全体に延びる。しかしながら、本発明の他の態様においては、導電性要素は、股部領域２６だけに延びることもでき、或いは身体流体を感知させようとする湿潤検知用吸収性物品内のあらゆる特定の位置まで延びることができることを理解するべきである。
【００３６】
導電性要素１００及び１０２は、導電性要素が、湿潤検知用吸収性物品２０により吸収される身体流体と接触するように位置される限り、あらゆる適当な位置でシャーシ３２に組み込むことができる。これに関して、導電性要素１００及び１０２は、一般的には、外カバー４０の内側に存在する。事実、本発明の一態様においては、導電性要素１００及び１０２は、吸収性構造体に面する外カバー４０の内側表面に取り付けるか又は積層することができる。しかしながら、代替的には、導電性要素１００及び１０２は、吸収性構造体上に位置決めするか、又はライナー４２上に位置決めすることができる。
【００３７】
導電性要素１００及び１０２は、直接的接触又は間接的接触のいずれかで、直接信号表示装置に接続することができる。第一導電性要素１００は、第一導電性パッド部材１０４に取り付けることができるが、第二導電性要素１０２は、第二導電性パッド部材１０６に接続することができる。パッド部材１０４及び１０６は、導電性要素により形成される開放回路を、消費者又は製造者によりシャーシ上に取り付けるように意図される信号表示装置に確実に接続するために形成することができる。パッド部材１０４及び１０６は、信号表示装置及び導電性リード又は要素を接続するために、目標領域を形成することができる。
【００３８】
導電性パッド部材１０４及び１０６は、導電性要素１００及び１０２に対して、比較的大きい表面積を有するものとすることができる。例えば、導電性パッド部材１０４及び１０６は、少なくとも０．５ｃｍ2、少なくとも１ｃｍ2、少なくとも２ｃｍ2、更に本発明の別の態様においては、少なくとも３ｃｍ2の表面積を有するようにすることができる。例えば、本発明の別の態様においては、各々のパッド部材の表面積は、約２ｃｍ2から約４ｃｍ2とすることができる。
【００３９】
湿潤検知用吸収性物品２０上の導電性パッド部材１０４及び１０６の位置は、信号表示装置をどこに取り付けたいかに応じて変化することができる。例えば、図１においては、導電性パッド部材１０４及び１０６は、物品の腰部開口に沿った前領域２２に位置決めされる。図示されていない本発明の別の態様においては、導電性部材１０４及び１０６は、物品の腰部開口に沿った後領域２４に位置決めされる。しかしながら、本発明の他の態様においては、湿潤検知用吸収性物品２０は、各々の導電性要素１００及び１０２の各々の端部に位置決めされる導電性パッド部材を含むことができることを認識するべきである。更に本発明の他の態様においては、パッド部材は、物品の側部に沿って、又は物品の股部領域に向かって配置することができる。
【００４０】
シャーシ３２の多層内の導電性パッド部材１０４及び１０６の位置は、信号表示装置を接続しようとする場所、及び信号表示装置と接続させるために使用される取り付け機構の型に応じて変化することができる。上記したように、パッド部材１０４及び１０６は、導電性要素１００及び１０２と電気接続される。したがって、本発明の一態様においては、パッド部材１０４及び１０６は、外カバー４０の少なくとも１つの層で、下側（身体側の方に）に位置決めされる。材料の少なくとも１つの層の下側にパッド部材１０４及び１０６を位置決めすることは、本発明の幾つかの態様において様々な利点を提供することができる。例えば、シャーシ３２内の材料の少なくとも１つの層で、下側にパッド部材１０４及び１０６に配置すると、移送及び貯蔵中にパッド部材を保護し、更に特にパッド部材が互いに近接して配置される場合に、使用中に短い回路を形成することから保護する。材料の少なくとも１つの層の下にパッド部材を配置することの別の利点は、高速機械速度で湿潤検知用吸収性物品２０を製造しやすくする可能性があることである。
【００４１】
しかしながら、本発明の他の態様においては、導電性パッド部材１０４及び１０６は、シャーシ３２の外側表面で位置決めすることができることを理解するべきである。例えば、パッド部材１０４及び１０６は、外側表面上又は内側表面上の望まれる部分に位置決めすることができる。
【００４２】
吸収性物品２０の構造、特性、及び材料に関する更なる詳細が、２００６年４月２７日付けの「Ａｎ  Ａｒｒａｙ  ｏｆ  Ｗｅｔｎｅｓｓ  Ｓｅｎｓｉｎｇ  Ａｒｔｉｃｌｅｓ」という名称の係属中で本発明の譲受人に譲渡された米国特許出願一連番号１１／４１４，０３２に示されており、これは一貫性のある範囲で（すなわち、矛盾することのない範囲で）引用によりここに組み入れられる。
【００４３】
例示的目的のために図１を参照すると、導電性パッド部材１０４及び１０６に取り付けられた信号表示装置１１０（参照番号１１２及び１１４で示されている）が示されている。示されているように本発明のこの態様においては、信号表示装置全体１１０は、一般的には送信機１１２及び受信機１１４を含む。送信機１１２は、１対の両側の端子を含み、対応する導電性要素に電気接続される。身体流体が湿潤検知用吸収性物品２０に存在する場合は、導電性要素１００及び１０２により形成された開放回路が閉じられ、反対に信号表示装置１１０が作動する。特に本発明のこの態様においては、送信機１１２は、受信機１１４に無線信号を送り、使用者に、身体流体が湿潤検知用吸収性物品２０に存在することを示す。本発明の他の様々な態様においては、導電性を変化することができるあらゆる化学的反応又は物理的反応が、この型のシステムにより検知することができ、例としては、２００５年１２月２１日付けの「Ｐｅｒｓｏｎａｌ  Ｃａｒｅ  Ｐｒｏｄｕｃｔｓ  ｗｉｔｈ  Ｍｉｃｒｏｃｈｅｍｉｃａｌ  Ｓｅｎｓｏｒｓ  ｆｏｒ  Ｏｄｏｒ  Ｄｅｔｅｃｔｉｏｎ」という名称のＡｌｅｓ他の、係属中で本発明の譲受人に譲渡された米国特許出願一連番号１１／３１４，４３８に示されているような、吸収性物品２０内の電気化学検知器と関連する導電性変化を含み、これは一貫性のある範囲で（すなわち、矛盾することのない範囲で）引用によりここに組み入れられる。
【００４４】
信号表示装置１１０は、回路が閉じられたことを使用者に示すために、可聴信号又は可視信号を発することができる。例えば、可聴信号は、おそらく音曲を発するだけの１又はそれ以上の発信音のような単一のものとすることができる。同様に、信号表示装置１１０が可視信号である場合は、可視信号は、１つの光、幾つかの光又は相互作用による表示を含むことができる。更に本発明の別の態様においては、信号表示装置１１０の受信機１１４は、湿潤検知用吸収性物品内の回路が閉じられた時、振動するように形成することができる。
【００４５】
図１に示した本発明の態様においては、信号表示装置１１０は、受信機１１４と組み合わせた送信機１１２を含む。しかしながら、信号表示装置は、吸収性物品２０に取り付けたままとする単一ユニットを含むことができることを理解するべきである。例えば、信号表示装置は湿潤検知用吸収性物品に取り付けられ、物品そのものから可視信号及び／又は可聴信号を発することができる。
【００４６】
本発明の様々な態様においては、湿潤検知用吸収性物品２０は、「Ｇａｒｍｅｎｔｓ  Ｗｉｔｈ  Ｅａｓｙ−Ｔｏ−Ｕｓｅ  Ｓｉｇｎａｌｉｎｇ  Ｄｅｖｉｃｅ」という名称のＬｏｎｇ他の、係属中で本発明の譲受人に譲渡された米国特許出願一連番号１１／３０３，２８３及び「Ｍｅｔｈｏｄ  ｏｆ  Ｄｅｔｅｃｔｉｎｇ  ｔｈｅ  Ｐｒｅｓｅｎｃｅ  ｏｆ  ａｎ  Ｉｎｓｕｌｔ  ｉｎ  ａｎ  Ａｂｓｏｒｂｅｎｔ  Ａｒｔｉｃｌｅ  ａｎｄ  Ｄｅｖｉｃｅ  ｆｏｒ  Ｄｅｔｅｃｔｉｎｇ  ｔｈｅ  Ｓａｍｅ」という名称のＡｌｅｓ他の米国特許出願一連番号１１／２１５，９３７に示されているような付加的特性を含むことができ、これらの特許は、一貫性のある範囲で（すなわち、矛盾することのない範囲で）ここに組み入れられる。例えば、湿潤検知用吸収性物品は、褪色性インク、発色性インク、湿潤ライナー、又は冷却部品などの他の湿潤検知用特性を含むことができる。
【００４７】
湿潤検知用吸収性物品２０は、２００６年４月２７日付けの「Ａｎ  Ａｒｒａｙ  ｏｆ  Ｗｅｔｎｅｓｓ  Ｓｅｎｓｉｎｇ  Ａｒｔｉｃｌｅｓ」という名称のＡｌｌｅｎ他の上記した、係属中で本発明の譲受人に譲渡された米国特許出願一連番号１１／４１４，０３２に記載されているような、湿潤検知システムの一部とすることができる。
【００４８】
検知用物品の利便性を促進するための１つの方法は、信号表示装置１１０を吸収性物品２０に取り付けるのに補助を施すことである。このような補助は、整列補助装置の形態で施すことができ、信号表示装置１１０が吸収性物品２０上に正確に位置決めされていることを使用者に確信させて、信号表示装置１１０が吸収性物品２０に正確に取り付けられているという安心感を与える。その結果、信号表示装置１１０は、垂直方向及び水平方向の両方に、容易に整列させることができる。例示的整列補助装置が、以下に詳細に示されている。
【００４９】
吸収性物品２０を使用する利便性を付加し、更に効率性を増加させるために、吸収性物品２０は、物品設計企画を設けることができる。物品設計企画は、その形状、色などの視覚的特性及びそれに関連する図形を含む、吸収性物品２０の設計を主に意味する。本発明の一態様においては、物品設計企画は、図１ａ−６ｂ、９ａ及び９ｂに示されているように、外カバー４０と主に関連する。本発明の別の態様においては、物品設計企画は、図８ａ及び８ｂに示されているように、吸収性物品２０の実際の取り付け機構に関連する。本発明の更に別の態様においては、図１０ａ及び１０ｂに示されているように、吸収性物品２０内の導電器と関連する。物品設計企画は、人物、物語、動作、事象、又はあらゆる他の適当な目的事項と関連することができる。人物の場合は、物品設計企画は、架空人物、実在する人物、及び漫画の人物などの動画の人物を含む。事象の場合は、物品設計企画は、トイレ訓練及び入学などの事象を含む。例えば、物品設計企画は、漫画の人物とすることができ、この場合は、吸収性物品２０に配置される図形は、漫画の人物に関連する。図形は、印刷又はあらゆる他の適当な手段により、吸収性物品２０上に描くことができる。
【００５０】
吸収性物品２０は、図２ａ−１０ｂに示されているように、取り付け領域１２０を含む。取り付け領域１２０は、信号表示装置１１０が吸収性物品２０に取り付けられるために、正確に位置決めされる位置である。本発明の一態様においては、取り付け領域１２０は、外カバー４０上に配置される。本発明の更に好ましい態様においては、取り付け領域１２０は、吸収性物品２０の後領域２４の外カバー４０上に配置される。取り付け領域１２０は、取り付け領域設計企画を設けることができる。取り付け領域設計企画は、その形状、色などの視覚的特性及びそれに関連する図形を含む、取り付け領域１２０の設計を主に意味する。取り付け領域設計企画は、人物、物語、動作、事象、又はあらゆる他の適当な目的事項と関連することができる。人物の場合は、取り付け領域設計企画は、架空人物、実在する人物、及び漫画の人物などの動画の人物を含む。事象の場合は、取り付け領域設計企画は、トイレ訓練及び入学などの事象を含む。例えば、取り付け領域設計企画は、漫画の人物とすることができ、この場合は、取り付け領域１２０に配置される図形は、漫画の人物に関連する。図形は、印刷又はあらゆる他の適当な手段により、取り付け領域１２０上に描くことができる。
【００５１】
本発明の一態様においては、取り付け領域１２０は、物品設計企画とは視覚的に異なり、信号表示装置１１０を吸収性物品２０に取り付けるために、使用者に正確な位置決めを補助する。本発明の様々な態様においては、信号表示装置は、取り付け領域１２０の大きさより大きい、小さい、又はほぼ同等のものとすることができる。
【００５２】
本発明の別の態様においては、取り付け領域１２０は、図形がない状態とすることができる。図２ａ−３ｂに示される例においては、取り付け領域１２０は、単に物品設計企画内のギャップか又は欠乏片であり、使用者が、信号表示装置１１０を吸収性物品２０上に正確に整列できるように補助する。本発明の更に別の態様においては、取り付け領域１２０は、文章を含むことができる。図４ａ及び４ｂに示される例においては、「Ｐｌａｃｅ  Ａｌａｒｍ  Ｈｅｒｅ」という語句が、吸収性物品２０上に信号表示装置１１０を正確に整列させるために使用者を補助する。
【００５３】
吸収性物品２０を使用する利便性を付加し、更に効率性を増加させるために、信号表示装置１１０は、信号表示装置設計企画を設けることができる。信号表示設計企画は、視覚特性及びその形状、色、発生する音、発生する他の信号、及び関連する図形などの特性を含む、信号表示装置１１０の設計を主に意味する。信号表示装置設計企画は、人物、物語、行動、事象、又は物品設計企画に関連して上記したものなどの、あらゆる他の適当な目的事項と関連することができる。例えば、信号表示装置設計企画は、漫画の人物とすることができ、この場合は、信号表示装置１１０上に配置された１又はそれ以上の図形、信号表示装置１１０の形状、信号表示装置１１０から発生する音、及び信号表示装置１１０により形成される漫画の人物に関連する他の信号である。本発明の様々な態様においては、信号表示装置１１０により発生する音は、音楽、効果音、及び言葉を含む。本発明の様々な態様においては、信号表示装置１１０は、複数の音を発生することができる。印刷、エンボス加工、刻み加工、又はあらゆる他の適当な手段により、信号表示装置１１０上に図形を描くことができる。
【００５４】
信号表示装置１１０は、製造者及び／又は使用者の必要性、及び信号表示装置設計企画に対して選択される好みに応じて変化することができる大きさ及び形状を有する。信号表示装置１１０は、信号表示装置１１０の機能的部品を収容するのに適した及び／又は信号表示装置設計企画の必要性に対処するのに適したあらゆる大きさとすることができる。同様に、信号表示装置１１０は、信号表示装置１１０の機能的部品を収容するのに適した及び／又は信号表示装置設計企画の必要性に対処するのに適したあらゆる形状とすることができる。
【００５５】
本発明の一態様においては、取り付け領域１２０は、信号表示装置１１０の大きさに適合する大きさで、信号表示装置１１０の正確な位置決めに関して、使用者に明確な指示を与える。本発明の別の態様においては、取り付け領域１２０は、信号表示装置１１０の形状に適合する形状で、信号表示装置１１０の正確な位置決めに関して、使用者に明確な指示を与える。本発明の他の態様においては、取り付け領域１２０は、信号表示装置１１０の形状には適合するが、信号表示装置の大きさとは異なる大きさとするか、又は取り付け領域１２０は、信号表示装置１１０の大きさには適合するが、信号表示装置の形状とは異なる形状とし、信号表示装置１１０の正確な位置決めに関して使用者に明確な指示を与えることができるものとすることができる。図示されていない例においては、取り付け領域１２０は、外カバー４０上に印刷された線又は長方形のように単一なものとし、信号表示装置１１０の縁部に適合することができる。
【００５６】
本発明に関連した態様においては、取り付け領域１２０は、信号表示装置１１０の一部を表す単一線又は図形、又は信号表示装置設計企画とすることができる。この態様の例が、図５ａ及び５ｂに示されており、信号表示装置１１０は波状縁部を有する形状であり、取り付け領域１２０は、外カバー４０上に印刷された波状線である。使用者は、波状縁部と波状線を整列させて、吸収性物品２０上に信号表示装置１１０を正確に位置決めする。
【００５７】
本発明の別の態様においては、取り付け領域１２０は、信号表示装置１１０の完全な又は部分的図案を含み、信号表示装置１１０の正確な位置決めに関して、使用者に明確な指示を与えることができる。
【００５８】
図６ａ及び６ｂに示されている本発明の別の態様においては、取り付け領域１２０は、目標図形１２５を含むことができる。信号表示装置１１０は、半透明部分１３０を設けることができ、使用者が、信号表示装置と目標図形１２５を視覚的に整列することを可能にする。本発明の別の態様においては、半透明部分１３０は、透明な窓とすることができる。「半透明な」という用語は、そこを通して物体を明確に見ることができるという透明であるという意味と、そこを通して物体を明確に見ることができないように光が透過及び拡散することができるという意味の両方で、光の通過が可能であることを一般的に意味する。
【００５９】
図７ａ及び７ｂに示されている本発明の別の態様においては、物品設計企画は、幾何学パターン、縞、又は図形の部分とすることができる物品の線１３５を含む。この態様においては、信号表示装置１１０は、物品の線１３５と整列するように設計された線を含み、使用者が、信号表示装置と物品の線１３５を視覚的に整列することを可能にする。信号表示装置１１０上の線は、信号表示装置１１０上のパターン又は図形の一部とすることができるか、又は信号表示装置１１０上に、又はその中に形成することができる。
【００６０】
図８ａ及び８ｂに示された本発明の別の態様においては、導電性パッド部材１０４及び１０６又は吸収性物品２０で使用される他の導電器は、導電器図形１４０と組み合わせることができる。本発明の様々な態様においては、導電器図形１４０は、あらゆる図形、色、又はここに示された他の型とすることができる。この態様においては、信号表示装置１１０は、導電器図形１４０と類似した図形を含み、信号表示装置１１０の正確な位置決めに関して、使用者に明確な指示を与えることができる。例えば、導電性パッド部材１０４又は他の導電器は、赤い点と組み合わせることができ、一方導電性パッド部材１０６は、青い点と組み合わせる。信号表示装置１１０は、同じ赤及び青の点を設けることができ、使用者に類似した色の点を整列させて、吸収性物品２０上の信号表示装置１１０の正確な整列を可能とさせる。
【００６１】
本発明の更なる態様においては、取り付け領域１２０は、図４ａ、４ｂ、９ａ及び９ｂに示されているように、物品設計企画の褪色部分を含むことができる。信号表示装置１１０は、取り付け領域設計企画のあまり褪色していない形態で形成することができ、正確な位置で吸収性物品２０に信号表示装置１１０を取り付けることが、褪色した取り付け領域設計企画を覆って、物品設計企画を完成する。
【００６２】
本発明の関連した態様においては、取り付け領域設計企画は、図２ａ−３ｂに示されているように、物品設計企画の空白部分を含むことができる。信号表示装置１１０は、物品設計企画の「欠乏」部分を設けることができ、正確な位置で吸収性物品２０に信号表示装置１１０を取り付けることが、空白の取り付け領域設計企画を覆って、物品設計企画を完成する。
【００６３】
図１０ａ及び１０ｂに示されている本発明の更なる態様においては、信号表示装置設計企画は、信号表示装置１１０を吸収性物品２０の物理的態様と整列する図形又は他の手段を含むことができる。吸収性物品２０の物理的態様は、導電性要素１００及び／又は１０２、腰部領域９０、側部パネル３４、又はあらゆる他の適当な構造とすることができる。例えば、導電性要素１００、１０２は、外カバー４０を通して見ることができるように位置決めすることができる。本発明の別の態様においては、導電性要素１００、１０２は、外カバー４０を通して可視できないが、感触又は視覚整列により、信号表示装置１１０を整列する手段として機能することができる。いずれの態様においても、信号表示装置設計企画は、導電性要素１００、１０２自体の図形による表示を含む線又は他の図形を含むことができ、吸収性物品２０上の信号表示装置１１０の正確な位置決めに関して、使用者に明確な指示を与えることができる。代替的には又は更に、信号表示装置設計企画は、信号表示装置１１０が導電性要素１００、１０２の配置と適合することを可能にする箱の形状の態様を含むことができる。例えば、信号表示装置箱は、小さい切り込み、谷、又は隆起した指示を有することができ、信号表示装置１１０が正しく整列すると、導電性要素１００、１０２の配置と幾何学的に整列する。
【００６４】
本発明の様々な他の態様においては、取り付け領域１２０は、図形又はここに示された他の整列補助装置のあらゆる適当な組み合わせを含むことができる。例えば、図４ａ及び４ｂに示されているように、取り付け領域設計企画は、物品設計企画の褪色部分、文章、及び信号表示装置１１０の形状の輪郭を含むことができ、吸収性物品２０上の信号表示装置１１０の正確な位置決めに関して、使用者に明確な指示を与える。
【００６５】
図１１ａ及び１１ｂに示されている本発明の別の態様においては、取り付け領域１２０はその設計と異なるものではなく、信号表示装置設計企画は、物品設計企画の一部と適合し、これにより信号表示装置１１０を吸収性物品２０に取り付けると、信号表示装置１１０上の一致した設計又はほとんど一致した設計を有する物品設計企画の一部を覆う。
【００６６】
上記した態様に加えて、信号表示装置１１０は、介護人が、信号装置１１０が正確に接続されている時に可視信号又は可聴信号で確認できるような、信号表示装置１１０が吸収性物品２０と正確に接続されていることを介護人に合図するための手段を設けることができる。これらの態様について更なる説明が、２００６年４月２６日付けの「Ｗｅｔｎｅｓｓ  Ｍｏｎｉｔｏｒｉｎｇ  Ｓｙｓｔｅｍｓ  Ｗｉｔｈ  Ｓｔａｔｕｓ  Ｎｏｔｉｆｉｃａｔｉｏｎ  Ｓｙｓｔｅｍ」という名称の、Ｌｏｎｇ他の係属中で、本発明の譲受人に譲渡された米国特許出願一連番号１１／４１２，３５１、及び２００６年４月２６日付けの「Ｗｅｔｎｅｓｓ  Ｍｏｎｉｔｏｒｉｎｇ  Ｓｙｓｔｅｍｓ  Ｗｉｔｈ  Ｐｏｗｅｒ  Ｍａｎａｇｅｍｅｎｔ」という名称の、Ｌｏｎｇ他の係属中で、本発明の譲受人に譲渡された米国特許出願一連番号１１／４１２，３６４に示されており、これらは一貫性のある範囲で（すなわち、矛盾することのない範囲で）引用によりここに組み入れられる。
【００６７】
信号表示装置１１０を備えた吸収性物品２０を使用する利点を最大にし、かつ効率性を増加させるために、物品設計企画、取り付け領域設計企画、及び信号表示装置設計企画は、様々な方法で組み合わせることができ、２００６年４月２７日付けの「Ａｂｓｏｒｂｅｎｔ  Ａｒｔｉｃｌｅ  ｗｉｔｈ  Ｉｎｔｅｇｒａｔｅｄ  Ｔｈｅｍｅｓ」という名称の、Ｗｅｂｅｒ他の係属中で、本発明の譲受人に譲渡された米国特許出願一連番号１１／４１４，０３１に示されており、一貫性のある範囲で（すなわち、矛盾することのない範囲で）引用によりここに組み入れられる。更に、様々な設計企画は、梱包設計企画、情報設計企画、及び受信機設計企画と様々な方法で組み合わせることができ、その主旨は上記した特許出願に示されている。
【００６８】
ここに示されたあらゆる主旨のために適した図形は、２００５年７月２８日付けの「Ｈｙｇｉｅｎｅ  Ｓｙｓｔｅｍ」という名称の、本発明の譲受人に譲渡された米国特許出願一連番号１１／１９２，２１０に記載されているような形態を含むことができ、この特許は一貫性のある範囲で（すなわち、矛盾することのない範囲で）引用によりここに組み入れられる。
【００６９】
本発明に対するこれらの及び他の修正及び変更は、本発明の思想及び範囲から外れることなく当業者により実施することができ、これは添付した特許請求の範囲に、より特定的に述べられる。更に、本発明の様々な態様の態様は、全体又は部分の両方において交換することができることを理解するべきである。更に当業者は、前述した説明は例示的なものであり、添付した特許請求の範囲に更に述べられている本発明を制限するものではない。
【図面の簡単な説明】
【００７０】
【図１】本発明の吸収性物品の斜視図である。
【図２ａ】図１に示された吸収性物品の一態様の平面図である。
【図２ｂ】図１に示された吸収性物品の一態様の平面図である。
【図３ａ】図１に示された吸収性物品の一態様の平面図である。
【図３ｂ】図１に示された吸収性物品の一態様の平面図である。
【図４ａ】図１に示された吸収性物品の一態様の平面図である。
【図４ｂ】図１に示された吸収性物品の一態様の平面図である。
【図５ａ】図１に示された吸収性物品の一態様の平面図である。
【図５ｂ】図１に示された吸収性物品の一態様の平面図である。
【図６ａ】図１に示された吸収性物品の一態様の平面図である。
【図６ｂ】図１に示された吸収性物品の一態様の平面図である。
【図７ａ】図１に示された吸収性物品の一態様の平面図である。
【図７ｂ】図１に示された吸収性物品の一態様の平面図である。
【図８ａ】図１に示された吸収性物品の一態様の平面図である。
【図８ｂ】図１に示された吸収性物品の一態様の平面図である。
【図９ａ】図１に示された吸収性物品の一態様の平面図である。
【図９ｂ】図１に示された吸収性物品の一態様の平面図である。
【図１０ａ】図１に示された吸収性物品の一態様の平面図である。
【図１０ｂ】図１に示された吸収性物品の一態様の平面図である。
【図１１ａ】図１に示された吸収性物品の一態様の平面図である。
【図１１ｂ】図１に示された吸収性物品の一態様の平面図である。
【符号の説明】
【００７１】
２０  吸収性物品
２２  前領域
２４  後領域
２６  股部領域
３２  シャーシ
４０  外カバー
４２  ライナー
４４  吸収性構造体
１００  導電性要素
１０４  パッド部材
１１０  信号表示装置
１２０  取り付け領域
【図１】
0005384332.tif 000002
【図２ａ】
0005384332.tif 000003
【図２ｂ】
0005384332.tif 000004
【図３ａ】
0005384332.tif 000005
【図３ｂ】
0005384332.tif 000006
【図４ａ】
0005384332.tif 000007
【図４ｂ】
0005384332.tif 000008
【図５ａ】
0005384332.tif 000009
【図５ｂ】
0005384332.tif 000010
【図６ａ】
0005384332.tif 000011
【図６ｂ】
0005384332.tif 000012
【図７ａ】
0005384332.tif 000013
【図７ｂ】
0005384332.tif 000014
【図８ａ】
0005384332.tif 000015
【図８ｂ】
0005384332.tif 000016
【図９ａ】
0005384332.tif 000017
【図９ｂ】
0005384332.tif 000018
【図１０ａ】
0005384332.tif 000019
【図１０ｂ】
0005384332.tif 000020
【図１１ａ】
0005384332.tif 000021
【図１１ｂ】
0005384332.tif 000022